(57)【要約】【課題】信頼性が高く、信号伝達用ケーブルの数の少ない食洗機を実現する。【解決手段】スイッチ操作部７からの信号を入力信号処理部であるマイコン１０によってシリアル信号に変換し、シリアル出力端子１０ｆからシリアル信号伝送経路部１１を経由して制御ボックス１２へ伝達する。制御ボックス１２からは送られた信号に応じて制御対象機器へ駆動信号が送られる。この構成により、省線化と信号伝達の信頼性の向上を図る。【選択図】図１
2010142322.tif 000002
【特許請求の範囲】
【請求項１】
機器全体を覆う筐体と、被洗浄物の洗浄ならびに乾燥を行う洗浄乾燥手段と、食器を載置する被洗浄物収納部と、前記洗浄乾燥手段の運転を指示するスイッチ操作部、前記洗浄乾燥手段の運転制御を行う機器制御部を有し、前記スイッチ操作部への入力情報をシリアル信号化する入力信号処理部と前記入力信号処理部のシリアル出力信号を前記機器制御部へ伝達するシリアル信号伝送経路部を筐体内部に有する食器洗浄乾燥機。
【請求項２】
機器制御部は被洗浄物収納部の背面に設置した請求項１記載の食器洗浄乾燥機。
【請求項３】
機器全体を覆う筐体と、被洗浄物の洗浄ならびに乾燥を行う洗浄乾燥手段と、食器を載置する被洗浄物収納部と、食器載置時は筐体から引き出し洗浄時は筐体内部へ引き込む摺動手段と、前記洗浄乾燥手段の運転を指示するスイッチ操作部、前記洗浄乾燥手段の運転制御を行う機器制御部と、前記スイッチ操作部への入力情報をシリアル信号化する入力信号処理部と前記入力信号処理部のシリアル出力信号を前記機器制御部へ伝達するシリアル信号伝送経路部を前記摺動手段に設置した食器洗浄乾燥機。
【請求項４】
シリアル信号伝送経路部は被洗浄物収納部下部に沿って設置した信号線で行う請求項１または２記載の食器洗浄乾燥機。
【請求項５】
シリアル信号伝送経路部は電源電圧ならびに信号線の基準電圧となるゼロボルト線と電源電圧線、信号線の３線からなる請求項１から４いずれか１項記載の食器洗浄乾燥機。
【請求項６】
スイッチ操作部の入力信号をシリアル信号化し、かつ電源ラインに重畳する搬送信号作成部を有する入力信号処理部とスイッチ操作部への線圧供給ならびに信号伝送する２本の電線を有する請求項１から４いずれか１項記載の食器洗浄乾燥機。
【請求項７】
シリアル信号伝送経路部は、被洗浄物の洗浄ならびに乾燥を行う洗浄乾燥手段へ電力を供給する電力供給ラインとは独立したケーブル経路を形成した請求項１から６いずれか１項記載の食器洗浄乾燥機。
【発明の詳細な説明】
【技術分野】
【０００１】
本発明は、キッチンユニットに組み込んで使用される食器洗浄乾燥機の運転制御に関するものである。
【背景技術】
【０００２】
図１０は現在市場にある食器洗浄乾燥機の構成であり、筐体１０１の中に食器や調理用容器などを収納する被洗浄物収納部１０２があり、ポンプ１０３で加圧された水がノズル１０４から噴き出し、被洗浄物収納部１０２内の食器を洗浄している。また被洗浄物収納部１０２内のヒータ（図示せず）によって、洗浄が終わった食器を乾燥する。洗浄と乾燥の指示は操作部１０５に設置されたボタン群１０６によって行われ、その信号はケーブル群１０７によって制御器１０８へ伝達され、制御器１０８からの信号はケーブル群１０９によってポンプ１０３に伝えられ、洗浄が開始され、またヒータに伝えられて乾燥が開始される。
【特許文献１】特開２００６−１０９８８０号公報
【発明の開示】
【発明が解決しようとする課題】
【０００３】
しかしながら前記従来の食器洗浄乾燥機の操作部から制御器への信号の伝達は、操作部、制御器共に食器洗浄乾燥機本体の前面に位置していたために伝送経路が比較的短く、伝送信号の減衰など考慮する必要もなく、信号線の数も気にすることはなかった。しかし操作部と制御器の距離が長くなると、信号が減衰して伝わらなかったり、誤って伝わったり、設置作業がしにくくなったりと、信号線の長さが製品の信頼性を落したり、組立てにくくなったりする可能性もあった。
【０００４】
本発明は、洗浄乾燥手段の運転を指示する操作部への入力情報を制御器へ確実に伝えることを目的とする。
【課題を解決するための手段】
【０００５】
前記従来の課題を解決するため、本考案の食器洗浄乾燥機は、機器全体を覆う筐体と、被洗浄物の洗浄ならびに乾燥を行う洗浄乾燥手段と、食器を載置する被洗浄物収納部と、洗浄乾燥手段の運転を指示するスイッチ操作部、洗浄乾燥手段の運転制御を行う機器制御部を有し、スイッチ操作部への入力情報をシリアル信号化する入力信号処理部と入力信号処理部のシリアル出力信号を機器制御部へ伝達するシリアル信号伝送経路部を筐体内部に有するものである。
【発明の効果】
【０００６】
このようにスイッチ操作部への入力情報をシリアル信号化する入力信号処理部と入力信号処理部のシリアル出力信号を機器制御部へ伝達するシリアル信号伝送経路部を筐体内部に有することにより、信号伝達距離が長くなっても従来設置されていた情報伝達用のケーブル群よりも少ない線で情報を確実に伝えることができ、機器の信頼性の向上を図ることが可能となる。
【発明を実施するための最良の形態】
【０００７】
第１の発明は、機器全体を覆う筐体と、被洗浄物の洗浄ならびに乾燥を行う洗浄乾燥手段と、食器を載置する被洗浄物収納部と、前記洗浄乾燥手段の運転を指示するスイッチ操作部、前記洗浄乾燥手段の運転制御を行う機器制御部を有し、前記スイッチ操作部への入力情報をシリアル信号化する入力信号処理部と前記入力信号処理部のシリアル出力信号を
前記機器制御部へ伝達するシリアル信号伝送経路部を筐体内部に有するものであり、伝送用のケーブル群を削減でき、構成の簡素化と信頼性の向上を図ることができる。
【０００８】
第２の発明は、特に第１の発明において、機器制御部は被洗浄物収納部の背面に設置したものであり、制御対象の機器に近い位置に機器制御部を位置させることによってケーブル群の長さの短縮を図るものである。
【０００９】
第３の発明は、機器全体を覆う筐体と、被洗浄物の洗浄ならびに乾燥を行う洗浄乾燥手段と、食器を載置する被洗浄物収納部と、食器載置時は筐体から引き出し洗浄時は筐体内部へ引き込む摺動手段と、前記洗浄乾燥手段の運転を指示するスイッチ操作部、前記洗浄乾燥手段の運転制御を行う機器制御部と、前記スイッチ操作部への入力情報をシリアル信号化する入力信号処理部と前記入力信号処理部のシリアル出力信号を前記機器制御部へ伝達するシリアル信号伝送経路部を前記摺動手段に設置したものであり、前面から背面へ直線的に設置された摺動手段に沿ってシリアル信号伝送経路部を設置することによって、信号伝送特性の安定化を図ることができる。
【００１０】
第４の発明は、特に第１または第２の発明において、信号伝送経路部は被洗浄物収納部下部に沿って設置したシリアル信号伝送経路部で行うものであり、伝送路の設置場所として、被洗浄物収納部下部を選定することによって、設置空間が確保でき、余裕のある伝送路設定を行うことができる。
【００１１】
第５の発明は、特に第１から第４のいずれか１つの発明において、シリアル信号伝送経路部は電源電圧ならびに信号線の基準電圧となるゼロボルト線と電源電圧線、信号線の３線からなるもので、圧倒的な省線化を図ることが可能となる。
【００１２】
第６の発明は、特に第１から第４いずれか１つの発明において、スイッチ操作部の入力信号をシリアル信号化し、かつ電源ラインに重畳する搬送信号作成部を有する入力信号処理部とスイッチ操作部への線圧供給ならびに信号伝送する２本の電線を有するものであり、電源電圧に信号を重畳することによって、専用の信号線が不要になり、圧倒的な省線化が可能となる。
【００１３】
第７の発明は、特に第１から第６いずれか１つの発明において、シリアル信号伝送経路部は、被洗浄物の洗浄ならびに乾燥を行う洗浄乾燥手段へ電力を供給する電力供給ラインとは別のケーブル経路を形成するようにしたもので、信号部が電源ライン部より離れることによって、電力供給ラインからの雑音で、信号伝送が悪影響を受けることが避けられ、信頼性の向上に大いに貢献することが可能となる。
【００１４】
以下、本発明の実施の形態について、図面を参照しながら説明する。なお、この実施の形態によって本発明が限定されるものではない。
【００１５】
（実施の形態１）
図１は本発明の第１の実施の形態における食器洗浄乾燥機１の部分切欠き斜視図である。
【００１６】
図１において、筐体３は食器等の被洗浄物を収納する被洗浄物収納部２を内部に設置し、レール４とローラ５からなる摺動手段６によって内部に収納する構成となっている。
【００１７】
また被洗浄物収納部２の内部には洗浄を行う温水の噴出させるノズル（図示せず）や乾燥を行うヒータ（図示せず）も設置されている。
【００１８】
被洗浄物収納部２の手前には被洗浄物の洗浄と乾燥の開始ならびに停止や時間、洗浄方法などを指示するスイッチ操作部７のスイッチ群８が設置されている。
【００１９】
図２はスイッチ群８からの入力信号のシリアル信号処理部９の模式図である。
【００２０】
図１、図２においてスイッチ群８を指で押すことによって入力される情報は入力信号処理部であるマイコン１０の入力端子１０ａ、１０ｂ、１０ｃ、１０ｄ、１０ｅよりマイコン１０内部に取り込まれ、押されたスイッチ（図２では乾燥ボタン１３）に対応する論理「０」と「１」の連続信号（たとえば「０」は０Ｖ、「１」は５Ｖに対応させる）であるシリアル信号出力に変換され、シリアル出力端子１０ｆから出力され、シリアル信号伝送経路部１１によって制御ボックス１２へと導かれる。制御ボックス１２からヒータ（図示せず）などを駆動する信号が出力される。
【００２１】
図３はシリアル信号出力の構成図である。
【００２２】
図３において（ａ）はシリアル信号のスタート部であり、長い「０」レベルの信号が続くことで信号の始まりを示す。（ｂ）が情報部でこの部分にどのスイッチが押されたかの情報が伝送される。（ｃ）ははシリアル信号のストップ部であり、長い「１」レベルの信号が続くことで信号の終わりを示す。
【００２３】
図４は本発明の第１の実施の形態における制御ボックス１２の構成図である。
【００２４】
図４において制御ボックス１２ではシリアル信号はマイコン１４の入力端子１４ａからマイコン１４に入り、内部でシリアル信号が解析され、出力ポート１４ｂを経てＮＰＮトランジスタ１５のベース１６に入り、ＮＰＮトランジスタ１５のコレクタエミッタ間を導通させる。するとヒータ（図示せず）を駆動するリレーのコイル１７に電流が流れ、ヒータ駆動用接点１８が閉じる。
【００２５】
上記のようにシリアル信号で信号が伝達されるケーブルを少なくして制御ボックス１２への有線通信を行うことによって、筐体３内部を信号ケーブルの束を引き回すことなく誤動作の少ない信号伝達信号が可能となる。
【００２６】
図５は本発明の第１の実施の形態における食器洗浄乾燥機１の部分切欠き斜視図である。
【００２７】
図５と図１の差異は、シリアル信号伝送経路部１１が摺動手段６に沿って設置されているところにある。摺動手段６は筐体３の側面を直線状に金属板で貫くように構成されており、摺動手段６に沿ってシリアル信号伝送経路部１１を設置すると、最短距離で、しかも金属板に沿っているので、電位的にも安定した伝送環境を実現でき、ノイズに妨害されない安定な信号伝送が可能となる。
【００２８】
図６は本発明の第１の実施の形態における食器洗浄乾燥機１の断面図である。
【００２９】
図６において、被洗浄物収納部２の下部にシリアル信号伝送経路となるケーブル２１が設置されており、被洗浄物収納部２の下部の引き回しのための空間が確保される領域を通って被洗浄物収納部２の背面に設置された制御ボックス１２へ情報を伝達している。
【００３０】
図７は本発明の第１の実施の形態における電気回路図である。
【００３１】
図７において、ケーブル２１はシリアル信号線２２、グランド線２３、電源線２４の３
線でできており、マイコン１０と制御ボックス１２の間をつないでいる。このように信号をシリアル化することによって、信号線の数を大幅に減らすことができる。
【００３２】
図８は本発明の第１の実施の形態における他の電気回路図である。
【００３３】
図８において、シリアル信号は、ミキサー２５によって、電源線２４に重畳させられ、セパレータ２６によって、電源線２４から取り出される。このようにシリアル化された信号を電源線２４に載せて搬送することによっても信号線の数を大幅に減らすことができる。
【００３４】
図９は本発明の第１の実施の形態における食器洗浄乾燥機１の断面図である。
【００３５】
図９においてシリアル信号を伝送するケーブル２１はヒータなどへ電力を供給するパワーケーブル２７とは束ねられずに、別経路を通って設置する構成としている。このように信号系と電力系の伝達経路を別々に設置することにより、電磁干渉の影響を低減でき、信頼性の高い食器洗浄乾燥機の実現を図ることができる。
【００３６】
このように本実施の形態の食器洗浄乾燥機では、情報伝送信号をシリアル信号にすることによって従来設置されていた情報伝達用のケーブル群の削減を図ることができ、構成の簡素化と信頼性の向上を図ることが可能となる。
【産業上の利用可能性】
【００３７】
以上のように、本発明にかかるシリアル信号化による省線化手段は食器洗浄乾燥機だけでなく、電化製品一般の情報伝達手段としても利用できる。
【図面の簡単な説明】
【００３８】
【図１】本発明の第１の実施の形態における食器洗浄乾燥機の部分切欠き斜視図
【図２】本発明の第１の実施の形態におけるシリアル処理部の模式図
【図３】本発明の第１の実施の形態におけるシリアル信号出力の構成図
【図４】本発明の第１の実施の形態における制御ボックスの構成図
【図５】本発明の第１の実施の形態における食器洗浄乾燥機の部分切欠き斜視図
【図６】本発明の第１の実施の形態における食器洗浄乾燥機の断面図
【図７】本発明の第１の実施の形態における電気回路図
【図８】本発明の第１の実施の形態における他の電気回路図
【図９】本発明の第１の実施の形態における食器洗浄乾燥機の断面図
【図１０】従来の食器洗浄乾燥機の断面図
【符号の説明】
【００３９】
１  食器洗浄乾燥機
２  被洗浄物収納部
３  筐体
４  レール
５  ローラ
６  摺動手段
７  スイッチ操作部
８  スイッチ群
９  シリアル信号処理部
１０  マイコン（入力信号処理部）
１０ａ、１０ｂ、１０ｃ、１０ｄ、１０ｅ  入力端子
１０ｆ  シリアル出力端子
１１  シリアル信号伝送経路部
１２  制御ボックス
１４  マイコン
１７  コイル
１８  ヒータ駆動用接点
２１  ケーブル
２２  シリアル信号線
２３  グランド線
２４  電源線
２５  ミキサー
２６  セパレータ
２７  パワーケーブル
【図２】
2010142322.tif 000003
【図３】
2010142322.tif 000004
【図４】
2010142322.tif 000005
【図７】
2010142322.tif 000006
【図８】
2010142322.tif 000007
【図１】
2010142322.tif 000008
【図５】
2010142322.tif 000009
【図６】
2010142322.tif 000010
【図９】
2010142322.tif 000011
【図１０】
2010142322.tif 000012